(57)【要約】      （修正有）【課題】飲料用缶の飲み物を飲みやすく出来、また、飲料用缶の飲み残しの飲み物の飲み口からのこぼれ、ごみ等の侵入を防ぎ、一時保存でき、持ち運びできる飲料用缶に嵌合装着できる飲料用缶飲み口ホルダーを提供する。【解決手段】飲料用缶Ｄの巻き締め部に上方からホルダー１をかぶせ、数か所のスリット部１ｅで分割した根元の係止用突起を巻き締め部の巻き締め部凸部により押し広げ、嵌合部凹部に押し込み嵌合装着し、さらに、ねじ環２で螺合し、締め付け、巻き締め部凸部と嵌合部凹部とを強固に嵌合密着させる飲料用缶とホルダーとを一体にした飲料用缶飲み口ホルダーとし、更に、一体にした飲料用缶ホルダーにキャップ３を螺合、締め付け、密閉することで、缶内の飲料のこぼれ、ごみ等の侵入も防げ、一時保存、持ち運ぶことができる。【選択図】図１
2014065522.tif 000002
【特許請求の範囲】
【請求項１】
上部に飲み口（１ａ）、外周に雄ねじ（１ｂ）、内周に嵌合部凹部（１ｃ）、係止用突起（１ｄ）、外周下部に数か所のスリット部（１ｅ）を有するホルダー（１）と、内周に雌ねじ（２ａ）を有したねじ環（２）と、内周に雌ねじ（３ａ）を有したキャップ（３）から構成され、飲料用缶（Ｄ）の巻き締め部（４）に上方からホルダー（１）をかぶせ、数か所のスリット部（１ｅ）で分割した根元の係止用突起（１ｄ）を巻き締め部（４）の巻き締め部凸部（４ａ）により押し広げ、巻き締め部凸部（４ａ）を嵌合部凹部（１ｃ）に押し込み嵌合装着でき、更に、ねじ環（２）の雌ねじ（２ａ）をホルダー（１）の外周の雄ねじ（１ｂ）に螺合させ、係止用突起（１ｄ）の押し広がりを抑えると共に、巻き締め部（４）の巻き上げ部凸部（４ａ）と嵌合部凹部（１ｃ）に強く嵌合密着させることで、嵌合部からの漏れを防げるようにしたことを特徴とする飲料用缶飲み口ホルダー。
【発明の詳細な説明】
【技術分野】
【０００１】
本発明は、飲料用缶の飲み物を飲みやすくした飲み口ホルダーを飲料用缶に嵌合着脱できるようにしたホルダー及びに、飲料用缶の開栓後、飲み残しを一時保存、持ち運べるようにしたホルダーに関するものである。
【背景技術】
【０００２】
従来、飲料缶用缶の飲み物を飲むのに、プルタブを開けて、開口可能な開口部の位置の缶の縁に直接に唇を当てて飲んでいた。また、飲料用缶の飲み物を全部飲みきれず、残してしまった場合、放置すると、飲み口からのごみの侵入、揺れ、振動で、飲み口から零れることがあった。そのため、飲み口からの零れ、ごみ等の侵入する不都合が生じるのを防ぐため簡易蓋、ワンタッチで上蓋に装着できるキャップ等で覆い、保存、持ち運んでいた。
【先行技術文献】
【特許文献】
【０００３】
【特許文献１】特開平１１−３２１８７５号公報
【特許文献２】特開２００３−２０５９４７号公報
【特許文献３】実登２５００６７２号公報
【発明の概要】
【発明が解決しようとする課題】
【０００４】
飲料用缶の上蓋の縁に直に唇を当てて飲むと、感触も悪く、缶の中の飲み物が残り少なくなるに従って、缶を大きく傾けて飲むため、たまに飲み物が零れる等の課題がある。
【０００５】
また、飲料用缶の飲み物を全部飲みきれず、残してしまった場合、飲み口からの零れ、ごみ等の侵入、保存、持ち運び等の不都合が生じる課題がある。
これらの飲料用缶の飲み物を飲みやすくする飲み口を設け、飲み残しの飲み物の保存、持ち運びが容易にできる飲料用缶飲み口ホルダーを提供することである。
【課題を解決するための手段】
【０００６】
本発明は、弾力性を有する合成樹脂製等であって、上部に飲み口、外周に雄ねじ、外周に数か所のスリット部（１ｅ）で分割した根元の係止用突起（１ｄ）、嵌合部凹部（１ｃ）を有する円筒形のホルダーの嵌合部凹部（１ｃ）と飲料用缶の上蓋の巻き締め部（４）の巻き締め部凸部（４ａ）とを嵌合装着し、さらに、ねじ環（２）で螺合し、締め付け、巻き締め部凹部（４ａ）とホルダーの嵌合部凹部（１ｃ）とを強固に密着させる飲料用缶とホルダーを一体にした飲料用缶飲み口ホルダーを形成する。
【０００７】
また、ホルダーの外周上方に着脱可能なキャップ（３）を取り付け、締め付け固定することで、飲料用缶の飲み残し飲み物のこぼれ、ごみ等の侵入を防ぎ、保存可能とし、且つ、飲料用缶の飲み残し飲み物の持ち運びも容易にできるようにしたことを特徴とする飲料用缶飲み口ホルダーである。
【発明の効果】
【０００８】
本発明は、次のような効果がある。
（ａ）飲料用缶の上蓋の巻き締め部（４）に本発明の円筒形の飲み口付のホルダーを嵌合装着することで、飲料用缶の飲み物を、飲み口から美味しく飲用できる。
（ｂ）飲料用缶の上蓋の巻き締め部（４）に、スリット部（１ｅ）で分割した根元の係止用突起（１ｄ）、嵌合部凹部（１ｃ）を有したホルダーで嵌合し、さらに、ねじ環（２）で螺合し、締め付け、巻き締め部（４）とホルダーの嵌合部凹部（１ｃ）とを強固に密着させる飲料用缶とホルダーを一体にした飲み物容器にしたことで、嵌合装着の緩み、外れをなくし、巻き締め部とホルダーの嵌合部とを強固に密着でき、更に、ホルダーの外周上方に着脱可能なキャップを取り付け、締め付け固定することで、飲料用缶の飲み残し飲み物のこぼれ、ごみ等の侵入を防ぎ、保存可能となるともに、持ち運びも容易にできる。
（ｃ）上蓋（５）を取り除いた飲料用缶に飲料用缶飲み口ホルダーを嵌合装着した飲料缶は飲料、スナック菓子等、および、調味料を入れる容器としても利用できる。
（ｄ）飲料用缶飲み口ホルダーの外周面に図柄、文字等での広告をいれ、飲料メーカのキャンペン時のサービス品、催しの記念品など幅広く活用できる。
【図面の簡単な説明】
【０００９】
【図１】本発明の取手付キャップを有する飲料用缶飲み口ホルダーの外観を示す実施例の斜視図である。
【図２】本発明の取手付キャップを有する飲料用缶飲み口ホルダーの一部断面での正面図である。
【図３】図２の一部を断面した詳細断面図である。
【発明を実施するための形態】
【００１０】
以下、図１乃至図３に示す実施例に基づいて本発明を具体的に説明する。
【００１１】
飲料用缶ホルダーはホルダー（１）、ねじ環（２）、キャップ（３）から構成される。
ホルダー（１）は、上部に飲み口（１ａ）、外周に雄ねじ（１ｂ）、内周に嵌合部凹部（１ｃ）、係止用突起（１ｄ）、外周下部に数か所のスリット部（１ｅ）を有する円筒形状で形成されている。
ねじ環（２）は内周に雌ねじ（２ａ）を有し、キャップは（３）は内周下部に雌ねじ（３ａ）、上部に取手（３ｃ）を有する。
【００１２】
飲料用缶（Ｄ）にホルダー（１）を嵌合装着し、飲料用缶（Ｄ）とホルダー（１）を一体にした飲み物容器を説明する。
飲料用缶（Ｄ）の巻き締め部（４）に上方からホルダー（１）をかぶせ、巻き締め部（４）の巻き締め部凸部（４ａ）が係止用突起（１ｄ）を超え、ホルダー（１）の内周の嵌合部凹部（１ｃ）に嵌合するまで押し込み嵌合装着させる。
【００１３】
係止用突起（１ｄ）の内径は、巻き締め部（４）の巻き締め部凸部（４ａ）の内径と同径、乃至、内径より僅かに小さくなっているが、数か所のスリット部（１ｅ）で分割した根元の係止用突起（１ｄ）はホルダー（１）を押し込むことで巻き締め部凸部（４ａ）により押し広げられ、嵌合部凹部（１ｃ）に押し込み嵌合装着できる。
スリット部（１ｅ）の切欠きは、係止用突起（１ｄ）の良好な押し広げ、並びに、巻き締め部（４）の巻き締め部凸部（４ａ）と嵌合部凹部（１ｃ）との嵌合密着させるため嵌合凹部（１ｃ）の長さの半分を超えないようにする。
数か所のスリット部（１ａ）で分割とは、ここでは、５乃至８分割を言う。
【００１４】
更に、ねじ環（２）をホルダー（１）の外周の雄ねじ（１ｂ）に螺合させ、係止用突起（１ｄ）の押し広がりを抑えると共に、巻き締め部（４）の巻き上げ部凸部（４ａ）を嵌合部凹部（１ｃ）に強く嵌合でき、嵌合部からの漏れを防げる。
飲料用缶（Ｄ）と飲料用缶飲み口ホルダーとを一体することによりた飲み口付の飲み物容器として使用できる。
【００１５】
上記の一体にした飲み物容器にキャップ（３）を被せ、持ち運べる飲料容器にすることを説明する。
前記の飲料用缶（Ｄ）と飲料用缶飲み口ホルダーとを一体にした飲み物容器のホルダー（１）の外周の雄ねじ（１ｂ）にキャップ（３）の雌ねじ（３ａ）を螺合させ、蓋内面（３ｂ）が飲み口（１ａ）の上面に強く当たるまで締め付け、密閉することで、缶内の飲料のこぼれ、ごみ等の侵入も防げ、一時保存も支障なくできる。
また、取手（３ｃ）付キャップ（３）すれば、持ち運びに利便性が増す。
【００１６】
なお、本発明の飲料用缶飲み口ホルダーの材質は弾力性を有する合成樹脂等に限定される事なく、本発明の趣旨から逸脱しない範囲において任意の材質に変更してもよい。
１．ねじ環（２）、及びキャップ（３）の材質は弾力性を有する合成樹脂製を使用しているが、硬質な樹脂製、これ以外に金属、アルミ製等にしてもよい。
２．ホルダー（１）の材質は弾力性を有する合成樹脂製を使用しているが、これ以外に硬質な合成樹脂にしてもよい。
【符号の説明】
【００１７】
Ｄ  飲料用缶
１  ホルダー
１ａ飲み口
１ｂ雄ねじ
１ｃ嵌合部凹部
１ｄ係止用突起
１ｅスリット
２  ねじ環
２ａ雌ねじ
３  キャップ
３ａ雌ねじ
３ｂ蓋内面
３ｃ取手
４  巻き締め部
４ａ巻き締め部凸部
５  上蓋
【図１】
2014065522.tif 000003
【図２】
2014065522.tif 000004
【図３】
2014065522.tif 000005